(57)【要約】【課題】災害の発生し、地域住民が多数、体育館などの公共施設に避難したとき、その避難所において、それぞれのプライバシーを最低限保護することができるパーティションであって、低コストで製造でき、軽量であって容易に輸送でき、保管にスペースをとらず、かつ、必要なときの現場で簡単に、各被災者自身の手でも組み立てることができて、使用後は再度分解して保管することができるものを提供する。【解決手段】ポリプロピレン製の気泡ボードを材料として、ボード部材（１）および棚部材（２）を製作する。ボード部材は、ヒンジ加工によりほぼ直角に曲げて、断面Ｌ字型としたものであり、棚部材は、ほぼ長方形の板の中央部を棚板（３）、その両側をヒンジ加工により折り曲げて脚（５Ａ，５Ｂ）とし、リブ（３１，５１）を与えて補強する。この棚を、Ｌ字型のボード部材の内側の隅に当接し、ジョイント部材（７Ａ，７Ｂ）で貫いて固定することにより組み立てる。【選択図】  図１
2007138538.tif 000002
【特許請求の範囲】
【請求項１】
軽量で剛性を有する板状の材料で製造した、ボード部材（１）および棚部材（２）を主たる構成要素としてなり、ボード部材（１）は、長方形の板を長手方向に適宜の割合で分割した折り目（１３）により、フロントボード部分（１１）およびサイドボード部分（１２）を分け、この折り目からほぼ直角に曲げて断面Ｌ字型としたものであり、棚部材（２）は、ほぼ長方形の板の中央部を棚板（３）、その両側を移行部分（４）で直角に折り曲げて両方の脚（５Ａ，５Ｂ）とし、棚板と脚の両縁を折り曲げ、重なる部分をカットしてリブ（３１，５１）を形成し、このようにして用意した棚を上記のボード部材（１）のＬ字型の内側の隅に当接し、サイドボード部分に設けた孔（６１）と、サイドボード部分に接する一方の脚（５Ｂ）の対応する位置に設けた孔（６２）とを、またフロントボード部分に設けた孔（６３）と他方の脚（５Ａ）のリブ（５１）の対応する位置に設けた孔（６４）とを、一組のジョイント部材（７Ａ，７Ｂ）で両側から固定してなる避難所用の組立てパーティション。
【請求項２】
フロントボード部分（１１）の縁に、棚板（３）を配置したときにそのほぼ中央に対応する位置に、垂直の方向にスリット（１４）を設け、棚板の高さ内寸に対応する幅をもったステー（８）をこのスリットに挿入して固定し、棚板を補強した請求項１の組立てパーティション。
【請求項３】
フロントボード部分（１１）またはサイドボード部分（１２）の適宜の位置に表示板（９）をとりつけた請求項１または２の組立てパーティション。
【請求項４】
軽量で剛性を有する板状の材料として、ポリプロピレン製のプラスチック気泡ボードを使用し、ボード部材の折り目（１３）、ならびに棚部材の棚板から両方の脚への移行部分（４）および棚板と側縁のリブとの境界線を、いずれもヒンジ加工により形成した請求項１の組立てパーティション。
【請求項５】
材料とするポリプロピレン製のプラスチック気泡ボードが、難燃剤を配合して難燃化したものである請求項４の組立てパーティション。
【発明の詳細な説明】
【技術分野】
【０００１】
本発明は、避難所用の組立て式パーティションに関する。このパーティションは、災害発生時に地域の住民が集団で避難し、学校の体育館や公民館などの施設で一時的な避難生活を行なわなければならない場合に使用して、プライベートな生活空間を確保するためのものである。
【背景技術】
【０００２】
地震、大火、豪雨、洪水などの災害が発生したとき、その地域の住民は一時的にせよ、公民館や学校の体育館などの公共の施設に避難して、生活することを余儀なくされることがある。このような場合、必要な毛布や食料品は自治体などの手によって用意されるが、それら施設の中での生活は「ザコ寝」を強いられ、各個人の生活のプライバシーは、ないに等しい。そうした生活が、被災者の精神状態に著しい悪影響を与えることはいうまでもない。これを嫌って、窮屈な自家用車の中で寝泊まりして、かえって、いわゆる「エコノミー症候群」とよばれる病気にかかるという弊害があることは、近時の災害においてみられ、記憶に新しい。
【０００３】
しかしながら、災害が発生したときに、体育館などの施設において、各個人または家族のために間仕切りのようなものを用意することは、それに要する経費と手数の点で、現実味に乏しく、とうてい望めるものではない。このような状況であるから、低コストで製造でき、軽量であって容易に輸送でき、保管にスペースをとらず、かつ、必要なときの現場で簡単に、各被災者自身の手でも組み立てることができて、使用後は再度分解して保管し、再使用も可能であるような、避難所用のパーティションの出現が期待されていた。
【発明の開示】
【発明が解決しようとする課題】
【０００４】
本発明の目的は、上述のような期待にこたえた、避難所用のパーティションを提供することにある。
【課題を解決するための手段】
【０００５】
本発明の避難所用のパーティションは、図１に全体の外観を示すように、軽量で剛性を有する板状の材料で製造した、ボード部材（１）および棚部材（２）を主たる構成要素としてなり、ボード部材（１）は、図２に展開図を示すように、長方形の板を長手方向に適宜の割合で分割した折り目（１３）により、フロントボード部分（１１）およびサイドボード部分（１２）を分け、この折り目からほぼ直角に曲げて断面Ｌ字型としたものであり、棚部材（２）は、図３に展開図を示すように、ほぼ長方形の板の中央部を棚板（３）、その両側を移行部分（４）で直角に折り曲げて両方の脚（５Ａ，５Ｂ）とし、棚板と脚の両縁を折り曲げ、重なる部分をカットしてリブ（３１，５１）を形成し、このようにして用意した棚を上記のボード部材（１）のＬ字型の内側の隅に当接し、サイドボード部分に設けた孔（６１）と、サイドボード部分に接する一方の脚（５Ａ）の対応する位置に設けた孔（６２）とを、またフロントボード部分に設けた孔（６３）と他方の脚（５Ｂ）のリブ（５１）の対応する位置に設けた孔（６４）とを、１組のジョイント部材（７Ａ，７Ｂ）で両側から固定してなる避難所用の組立てパーティションである。
【発明の効果】
【０００６】
本発明の避難所用の組立てパーティションは、主たる構成部分であるボード部材（１）および棚部材（２）を、軽量で剛性を有する板状の材料で製造したから、不使用時は、ボード部材（１）および棚部材（２）を、いずれも展開して平板にした状態で、別々に保管することができ、使用時には、それらを組み合わせて立てることにより、直ちにパーティションとして役立てることができる。組み立ては、最低限、２組のジョイント部材で両構成部分を相互に固定するだけであるから、道具も技術も不要であって、使用する被災者ら自身が、時間をかけずに行なうことができる。図示した例では、ボード部材（１）を構成するフロントボード部分（１１）の、向かって右側にサイドボード部分（１２）が位置する、「右勝手」の構成であるが、左側にサイドボード部分が位置する、「左勝手」のものをつくることは容易である。左勝手の場合は、ボード部材は反転させるが、棚部材はそのままで左側の隅に当接させ、前記他方の脚（５Ｂ）をサイドボード部分に固定すればよい。
【０００７】
ボード部材（１）は、L字型に構成され、その内側に棚部材（２）が位置しているから、L字型が維持されるとともに自立状態が確保されて、室内を通る程度の強さの風が来ても、吹き倒されるようなことはない。棚板の存在は、その上に、身の回りの品物をある程度整理して置くことを可能にし、あまり人目にさらしたくない物などは、棚板の下に置くことで、その目的を達することができる。このようにして、従来の避難所では困難であった被災者のプライバシーを保護することが、最低限は可能になるので、被災者の精神状態もより安らかなものとなる。
【０００８】
避難生活が終わってパーティションが不要になれば、組み立て時と逆の操作により、すなわち２組のジョイント部材による固定を開放することにより、ボード部材（１）と棚部材（２）とを分離し、かつそれらを平板状に戻し、コンパクトにまとめることによって、大量のものを回収輸送することが容易にでき、つぎの使用に備えて保管することも可能になる。
【発明を実施するための最良の形態】
【０００９】
軽量で剛性を有する板状の材料としては、プラスチックの低発泡ボード、プラスチック段ボール、プラスチック気泡ボード、あるいは強化段ボール紙など、さまざまなものが使用可能である。重量と強度とのバランス、耐久性などを総合的に考慮すると、多数回使用することを前提にする場合は、プラスチック気泡ボードが最適である。1回ないし少数回の使用を予定した製品においては、強化段ボール紙など、リサイクルや焼却などの処分が容易な、強化段ボール紙が適切であろう。
【００１０】
上記の「プラスチック気泡ボード」とは、プラスチックシートを溶融押出しし、成形して多数のキャップを形成したキャップシートの底面に平坦なプラスチックのバックシートを貼り合わせ、かつ、キャップの頂を連ねてもう１枚の平坦なプラスチックのライナーシートを貼り合わせてなる、３層構成の、軽量で剛性を有する中空板をいう。一般にプラスチックを材料とするものは、長期にわたって貯蔵しても、変質せず、その強度を維持することが容易である。材質を一種類にしておけば、最終的にリサイクルする場合に好都合である。
【００１１】
プラスチック気泡ボードは、とくに材料としてポリプロピレンを選択した場合、ヒンジ加工によって、屈曲可能でありながら、その部分の強度はかなり高く維持されるという利益が得られる。したがって、ポリプロピレン製の気泡ボードを材料として、上記したボード部材の折り目（１３）や、棚部材の棚板から両方の脚への移行部分（４）を、また、棚板のリブを形成するための、両縁の折り曲げをヒンジ加工にすることが推奨される。ヒンジ部分は、かなりの回数の屈曲に耐えるから、多数回の使用に耐える製品を作ることができる。
【００１２】
ポリプロピレン製のものに限らないが、プラスチック気泡ボードを材料とする場合、難燃性を与えることが好ましい。プラスチックへの難燃性の付与は、適宜の難燃剤を配合して成形することにより、容易に実現できる。難燃剤としてはさまざまな物質が提供されており、その代表は、リン酸系、水和物（とくに水酸化物）系、ハロゲン（とくに臭素）系であり、これらは、材料としてポリプロピレンを選択した場合にも、好適に使用することができる。
【００１３】
フロントボード部分（１１）の棚板（３）のほぼ中央に対応する位置に、垂直の方向にスリット（１４）を設け、棚板の高さ内法に対応する幅をもったステー（８）を、このスリットに差し込んで固定する態様によれば、このステーが垂直方向に存在して棚板を下から支えるため、かなり重量のある物品を乗せても、その荷重に耐えられる。この態様において、ボード部材（１）と棚板（３）との右勝手・左勝手を任意に選べるようにするには、上記のスリットを、フロントボード部分（１１）の上下に、ほぼ対称の位置に設けておけばよい。
【００１４】
このパーティションは、広い体育館などに立てるので、各利用者にとって、自己の与えられた場所がどこであるかを直ちにわかることが望ましく、また、食料品などを配給する側にとっても、どの区画まで仕事が済んだかということを容易に見分けられることが好ましい。このような観点から、フロントボード部分（１１）またはサイドボード部分（１２）の適宜の位置に、図１に示したような表示板（９）をとりつけられるようにした態様が推奨される。表示板（９）の形成手段は任意であって、たとえば番号を記して粘着剤を塗った紙片を貼るなどの方法もあるが、このパーティションの材料と同様な材料で製作することも有利である。その場合、ボード部材（１）または表示板（９）のどちらかに、または両方に、かみ合うようにスリットを入れておくことで、抜き差しが可能になる。
【実施例】
【００１５】
下記の仕様のポリプロピレン製の気泡ボード「プラパール」（登録商標）を素材に使用して、図２に示す寸法のボード部材、および図３に示す寸法の棚部材を切り出した。
グレード：Ｐ５ＰＰ３−１００
厚さ：５ｍｍ
目付：１０００ｇ／ｍ2
曲げ剛性：流れ方向  ３．６ＭＰａ
幅方向    ３．３ＭＰａ
ジョイント部材としては、図４に示した構造を有し、プラスチックの成形により製造したものを、２個使用して両部材を組み合わせ、図１に示す外観をもつ、本発明のパーティションを組み立てた。棚板には、同じ材料のステーを設けた。
【００１６】
組み立てたパーティションを体育館の床に置き、窓を開けて風を入れたが、位置がずれたりすることはなかった。棚板の上に小学校低学年の男の子が腰掛けても、棚板に歪みは生じなかった。
【図面の簡単な説明】
【００１７】
【図１】本発明の避難所用の組み立てパーティションの、組み立てた状態を示す斜視図。
【図２】図１の組み立てパーティションを構成する、ボード部材の展開図。
【図３】図１の組み立てパーティションを構成する、棚部材の展開図であって、Ａは棚板、Ｂはステーをそれぞれ示す。
【図４】図１の組み立てパーティションの組み立てに使用する、一組のジョイント部材を示す斜視図。
【符号の説明】
【００１８】
１  ボード部材
１１  フロントボード部分
１２  サイドボード部分
１３  折り目
１４  スリット
２  棚部材
３  棚板
３１  リブ
４  （棚板から脚への）移行部分
５Ａ，５Ｂ  脚
５１  リブ
６１，６２，６３，６４  孔
７Ａ，７Ｂ  ジョイント部材
８  ステー
９  表示板
【図１】
2007138538.tif 000003
【図２】
2007138538.tif 000004
【図３】
2007138538.tif 000005
【図４】
2007138538.tif 000006